(57)【要約】【課題】  商品価値を向上させるとともに生産性を向上させ、かつ設計上および意匠上において自由度を高める。【解決手段】  アッパーケース４のレンズ露呈窓１７を挟むようにして、アッパーケース４の内面に、Ｕ字溝を有する一対の挟持壁１８が突設されている。挟持壁１８の直下には、係合孔２０ｃを有する弾性変形可能な保持片２０がアッパーケース４の内面から突設されている。ＬＥＤレンズ２２の両側部には一対の小軸２３が突設され、後端部にはＬＥＤ収納部２４が凹設され、底部には係合突起２５が突設されている。挟持壁１８のＵ字溝に係入した小軸２３を中心としてＬＥＤレンズ２２を回動させ、保持片２０を弾性変形させながら係合突起２５を係合孔２０ｃに係合させる。ロアーケース３をアッパーケース４に合体させることにより、プリント基板上のＬＥＤ３０がＬＥＤ収納部２４に収納される。同時に、アッパーケース４側とプリント基板２８とによってＬＥＤレンズ２２が挟持される。【選択図】  図７
2005223044.tif 000002
【特許請求の範囲】
【請求項１】
筺体の内部に設けたＬＥＤの光を外部に導くＬＥＤレンズを筺体に取り付けるＬＥＤレンズの取付構造であって、ＬＥＤレンズの両側部に一対の小軸を突設し、筺体にＬＥＤレンズを露呈させるためのレンズ露呈窓を設け、筺体の内面に、前記レンズ露呈窓を挟むようにして互いに対向して突設され前記ＬＥＤレンズの小軸を回動自在に支持するＵ字溝を有する一対のレンズ挟持壁と、前記Ｕ字溝内に小軸が回動自在に支持され前記レンズ挟持壁内に前記ＬＥＤレンズが挟み込まれることによりこのＬＥＤレンズを保持してＬＥＤレンズの回動を規制する弾性変形が可能な保持片とを設けたことを特徴とするＬＥＤレンズの取付構造。
【請求項２】
請求項１記載のＬＥＤレンズの取付構造において、ＬＥＤを実装したプリント基板と筺体とによってＬＥＤレンズを挟持することを特徴とするＬＥＤレンズの取付構造。
【請求項３】
請求項２記載のＬＥＤレンズの取付構造において、前記筺体を、プリント基板が取り付けられた一方のケースと、ＬＥＤレンズを支持する他方のケースとによって分割し、これら両ケースを合体させることにより前記筺体を形成するとともに、プリント基板と他方のケースとによってＬＥＤレンズを挟持することを特徴とするＬＥＤレンズの取付構造。
【発明の詳細な説明】
【技術分野】
【０００１】
本発明は、筺体の内部に取り付けられたＬＥＤの光を外部に導くＬＥＤレンズの取付構造に関するものである。
【背景技術】
【０００２】
［従来技術１］
従来は筺体に設けたレンズ露呈窓からＬＥＤレンズを露呈させた状態でＬＥＤレンズをねじによって筺体の内部に固定した構造のものや、レンズ露呈窓にＬＥＤレンズを圧入する構造のものがある。
［従来技術２］
また、従来はケースにＬＣＤパネルが嵌め込まれる凹部と、この凹部に一部が臨むように形成されたＬＥＤレンズを組み込むための孔とを備え、孔に組み込んだＬＥＤレンズを凹部に取り付けたＬＣＤパネルによって取り付けたものもある（特許文献１参照）。
【０００３】
なお、上述した従来技術のうち１は、出願人が出願時点で知る限りにおいて文献公知ではない。
また、出願人は、本明細書に記載した先行技術文献情報で特定される先行技術文献以外には、本発明に関連する先行技術文献を出願時までに発見するには至らなかった。
【特許文献１】特開平１１−３５５４０３号公報（段落「００２１」、図１，２）
【発明の開示】
【発明が解決しようとする課題】
【０００４】
上述した従来技術１の構造のものでは、レンズ露呈窓とＬＥＤレンズとの間にクリアランスを設ける必要があるため、ＬＥＤレンズを通過しないでこのクリアランスから漏洩する光のために商品価値が低下するという問題があった。また、従来技術１の構造のものでは、高精度の製造技術が要求されるばかりではなく、組付け作業に熟練と時間を要するために生産性が低下するという問題があった。また、従来技術２の構造のものでは、ＬＣＤパネルを必要とするため、ＬＥＤレンズの取付位置が必然的にＬＣＤパネルの近傍に限定されるため、設計上および意匠上において自由度が低くなり制限が増えるという問題があった。
【０００５】
本発明は上記した従来の問題に鑑みなされたものであり、その目的とするところは、商品価値を向上させるとともに生産性を向上させ、かつ設計上および意匠上において自由度を高めることにある。
【課題を解決するための手段】
【０００６】
この目的を達成するために、請求項１に係る発明は、筺体の内部に設けたＬＥＤの光を外部に導くＬＥＤレンズを筺体に取り付けるＬＥＤレンズの取付構造であって、ＬＥＤレンズの両側部に一対の小軸を突設し、筺体にＬＥＤレンズを露呈させるためのレンズ露呈窓を設け、筺体の内面に、前記レンズ露呈窓を挟むようにして互いに対向して突設され前記ＬＥＤレンズの小軸を回動自在に支持するＵ字溝を有する一対のレンズ挟持壁と、前記Ｕ字溝内に小軸が回動自在に支持され前記レンズ挟持壁内に前記ＬＥＤレンズが挟み込まれることによりこのＬＥＤレンズを保持してＬＥＤレンズの回動を規制する弾性変形が可能な保持片とを設けたものである。
【０００７】
請求項２に係る発明は、請求項１に係る発明において、ＬＥＤを実装したプリント基板と筺体とによってＬＥＤレンズを挟持するものである。
【０００８】
請求項に３係る発明は、請求項２に係る発明において、前記筺体を、プリント基板が取り付けられた一方のケースと、ＬＥＤレンズを支持する他方のケースとによって分割し、これら両ケースを合体させることにより前記筺体を形成するとともに、プリント基板と他方のケースとによってＬＥＤレンズを挟持するものである。
【発明の効果】
【０００９】
請求項１に係る発明によれば、レンズ挟持壁によってＬＥＤからの光の回り込みが規制されるため、ＬＥＤレンズとレンズ露呈孔との間のクリアランスから光が漏洩することがないから商品価値を向上させることができる。また、ＬＥＤレンズの筺体への取付けに際して、ねじ類や他の部品を必要としないため、組付工数と部品点数を削減することができるというばかではなく、ＬＥＤレンズの取付位置が制限されるようなことがないため、設計上および意匠上において自由度が高くなる。また、保持片の弾性変形を利用するため組付けが容易になるから生産性を向上させることができる。
【００１０】
請求項２に係る発明によれば、ＬＥＤレンズが基板と筺体とによって挟み込まれているため、ＬＥＤレンズに外力が加わってもＬＥＤレンズの脱落を規制することができる。
【００１１】
請求項３に係る発明によれば、両ケースを合体させ前記筺体を形成することにより、自動的にＬＥＤレンズが基板と他方のケースとによって挟み込まれるからＬＥＤレンズの組付けが容易になる。
【発明を実施するための最良の形態】
【００１２】
以下、本発明の実施の形態を図に基づいて説明する。図１は本発明に係るＬＥＤレンズの取付構造を採用した電話機の正面図、図２（Ａ）は同じく電話機のアッパーケースの上部を示す正面図、同図（Ｂ）は保持片の斜視図、図３は同じくＬＥＤレンズを取り付けた状態を示すアッパーケースの上部を示す正面図、図４は図３におけるIV-IV 線断面図、図５は同じくＬＥＤレンズを示し、同図（Ａ）は側面図、同図（Ｂ）は正面図、同図（Ｃ）は背面図、同図（Ｄ）は平面図、同図（Ｅ）は底面図、図６および図７はＬＥＤレンズの取付状態を説明するための図であって、図６は図２におけるVI-VI 線断面図、図７は図３におけるVII-VII 線断面図である。
【００１３】
図１および図７に全体を符号１で示す電話機は、共に１面が開口したプラスチックによって形成されたロアーケース３およびアッパーケース４とによって構成された筺体２を備えており、この筺体２は両ケース３，４の互いの開口端側を突き合わせるようにして合体することにより形成される。図１において、６は筺体２の上端から突出したアンテナ、７はロアーケース３の上端部に設けた受話部、８はロアーケース３の下端部に設けた送話部、１０はロアーケース３の上部側に取り付けられた表示パネル、１１は表示バネル１０に設けた表示部である。１２は各種の機能ボタン、１３はマトリックス状に配設されたダイヤルボタン、１４はダイヤル発信を行うための発信ボタン、１５は通話を切断するための切断ボタンである。
【００１４】
アッパーケース４の上端部には、図２に示すように、アンテナ６を筺体２の外部に突出させる挿通孔１６が設けられ、アッパーケース４の背面側の上部には、図６に示すように、上下方向に延在しスリット状に形成されたレンズ露呈窓１７が設けられている。このレンズ露呈窓１７を挟むように、アッパーケース４の内面には、図２に示すように、互いに対向する一対のレンズ挟持壁としての挟持壁１８，１８が一体に突設されており、これら挟持壁１８，１８の上部側には、互いに対向するＵ字溝１９，１９が設けられている。レンズ露呈窓１７の幅と挟持壁１８，１８間の間隔は共に同じ長さＬ１に形成されている。アッパーケース４の内面で、挟持壁１８，１８の直下には、弾性変形可能な保持片２０が一体に突設されており、この保持片２０の突出端部の上部には、同図（Ｂ）に示すように、面取部２０ａが設けられている。この保持片２０には、突出端の中央に開口を有しアッパーケース２の内面側に向かって嵌入溝２０ｂが凹設されており、この嵌入溝２０ｂの開口と反対側の底部には係合孔２０ｃが設けられている。この係合孔２０ｃの径Ｒは、嵌入溝２０ｂの幅Ｌ２よりも大きく形成されている。
【００１５】
次に、図５を用いてＬＥＤレンズ２２について説明する。
【００１６】
ＬＥＤレンズ２２は扁平で側面視が略多角形に形成されており、両側部のそれぞれに一対の小軸２３，２３が一体にされており、後端に断面がコ字状でＬＥＤレンズ２２の幅ｌ１よりも大きな幅ｌ２によって形成されたＬＥＤ収納部２４が設けられている。また、ＬＥＤレンズ２２の底部の前端側には、小円柱状に形成された係合突起２５が一体に突設されているとともに、この係合突起２５から後端側に向かって漸次高さ方向の寸法が小さくなるように傾斜した補強用リブ２６が一体に突設されている。この係合突起２５の径ｒは上記した保持片２０の係合孔２０ｃの径Ｒよりもわずかに小さく形成され、補強用リブ２６の幅ｌ３は保持片２０の嵌入溝２０ｂの幅Ｌ３よりもわずかに小さく形成され、かつ係合突起２５の径ｒは、補強用リブ２６の幅ｌ３よりも大きく形成されている。
【００１７】
ロアーケース３の内側には、ロアーケース３に一体に突設したスタッド２９に取り付けられたプリント基板２８が設けられており、このプリント基板２８上にはＬＥＤ３０が実装されている。
【００１８】
次に、図６および図７を用いてＬＥＤレンズを取り付ける方法を説明する。
【００１９】
ＬＥＤレンズ２２を、図６（Ａ）に示す状態から、やや反時計方向に回動させ傾斜させた状態として、アッパーケース４の開口側からアッパーケース４内に差し入れ、小軸２３，２３を挟持壁１８，１８のＵ字溝１９，１９内に係入させる。この状態では、同図（Ｂ）に示すように、ＬＥＤレンズ２２の前端側が挟持壁１８，１８内に嵌入するとともに、アッパーケース４の露呈窓１７から突出する。次いで、ＬＥＤレンズ２２を小軸２３，２３を中心として時計方向へ回動させると、図７（Ａ）に示すように、係合突起２５が保持片２０の面取部２０ａに当接する。さらに、ＬＥＤレンズ２２を時計方向へ回動させると、係合突起２５が嵌入溝２０ｂを左右方向に弾性変形させながら嵌入溝２０ｂ内に係入し、係合突起２５が保持片２０の係合孔２０ｃに係合するから、この保持片２０によってＬＥＤレンズ２２の回動が規制され、ＬＥＤレンズ２２がアッパーケース４側に支持される。このとき、ＬＥＤレンズ２２の補強用リブ２６は保持片２０の嵌入溝２０ｂ内に嵌入している。
【００２０】
このようにアッパーケース４側に支持したＬＥＤレンズ２２の前端部は、一対の挟持壁１８，１８に挟み込まれるとともに、レンズ露呈窓１７に嵌合する。次いで、ロアーケース３の開口端側をアッパーケース４の開口端側に突き合わせるようにして、同図（Ｂ）に示すように、ロアーケース３とアッパーケース４とを合体させる。この状態で、プリント基板２８がＬＥＤレンズ２２の後端に当接し、このプリント基板２８とアッパーケース４とによってＬＥＤレンズ２２が挟持されるとともに、ＬＥＤ３０がＬＥＤ収納部２４内に収納される。
【００２１】
したがって、ＬＥＤ３０から発光された光は、ＬＥＤレンズ２２によって集光され、レンズ露呈窓１７から筺体２の外部に導かれる。このとき、レンズ露呈窓１７に嵌合したＬＥＤレンズ２２の前端側が一対のレンズ挟持壁１８，１８によって挟み込まれているため、ＬＥＤ３０から発光された光のうちＬＥＤレンズ２２に集光されずに筺体２内に拡散した光がＬＥＤレンズ２２とレンズ露呈窓１７との間へ回り込むのをこれらレンズ挟持壁１８，１８によって規制される。このため、ＬＥＤレンズ２２とレンズ露呈窓１７との間のクリアランスから光が漏洩することがないから、商品価値を向上させることができる。
【００２２】
また、両ケース３，４の組付けとＬＥＤレンズ２２の取付けを同時に行うことができるから、組付け作業が容易になるとともに、ＬＥＤレンズ２２がプリント基板２８とアッパーケース４とによって挟持されるため、ＬＥＤレンズ２２に外力が加わってもＬＥＤレンズ２２の脱落を規制することができる。また、ＬＥＤレンズ２２の筺体２への取付けに際して、ねじ類や他の部品をいっさい必要としないため、組付工数と部品点数を削減することができるというばかりではなく、ＬＥＤレンズ２２の取付位置が制限されるようなことがないため、設計上および意匠上において自由度が高くなる。また、保持片２０の弾性変形を利用するため組付けが容易になるから生産性を向上させることができる。
【００２３】
なお、本実施の形態においては、プリント基板２８をＬＥＤレンズ２２を支持したアッパーケース４ではなくロアーケース３側に取り付けたが、アッパーケース４側に取り付けてもよく、その場合にもプリント基板２８とアッパーケース４とによってＬＥＤレンズ２２を挟持するようにしてもよい。
【図面の簡単な説明】
【００２４】
【図１】本発明に係るＬＥＤレンズの取付構造を採用した電話機の正面図である。
【図２】同図（Ａ）は本発明に係るＬＥＤレンズの取付構造を採用した電話機のアッパーケースの上部を示す正面図、同図（Ｂ）は保持片の斜視図である。
【図３】本発明に係るＬＥＤレンズを取り付けた状態を示すアッパーケースの上部を示す正面図である。
【図４】図３におけるIV-IV 線断面図である。
【図５】本発明に係るＬＥＤレンズを示し、同図（Ａ）は側面図、同図（Ｂ）は正面図、同図（Ｃ）は背面図、同図（Ｄ）は平面図、同図（Ｅ）は底面図である。
【図６】本発明に係るＬＥＤレンズの取付状態を説明するための図２における VI-VI線断面図である。
【図７】本発明に係るＬＥＤレンズの取付状態を説明するための図３における VII-VII線断面図である。
【符号の説明】
【００２５】
１…電話機、２…筺体、３…ロアーケース、４…アッパーケース、１７…レンズ露呈窓、１８…挟持壁、１９…Ｕ字溝、２０…保持片、２０ｃ…係合孔、２２…ＬＥＤレンズ、２３…小軸、２４…ＬＥＤ収納部、２５…係合突起、２８…プリント基板、３０…ＬＥＤ。
【図１】
2005223044.tif 000003
【図２】
2005223044.tif 000004
【図３】
2005223044.tif 000005
【図４】
2005223044.tif 000006
【図５】
2005223044.tif 000007
【図６】
2005223044.tif 000008
【図７】
2005223044.tif 000009